(57)【要約】【課題】  見た目のインパクトも大きく、表示内容の一部変更も可能な吊り下げ型装飾を提供する。【解決手段】  パチンコ店の天井から吊り下げて使用する天井吊り下げ型装飾であって、上部フレーム１０４と、当該上部フレーム１０４と相似形且つ上部フレーム１０４よりも小さなサイズの下部フレーム１０７と、を備え、上部フレーム１０４が上方に配置されると共に下部フレーム１０７が下方に配置され、上部フレーム１０４の一辺と下部フレーム１０７の一辺とを連結する連結表示部１０２を少なくとも２つ備えると共に、当該連結表示部１０２を、完全に光を遮断せずに一定程度光を透過する素材で構成する。【選択図】図１
2014023800.tif 000002
【特許請求の範囲】
【請求項１】
パチンコ店の天井から吊り下げて使用する天井吊り下げ型装飾であって、
多角形状第１環状体と、当該多角形状第１環状体と相似形且つ当該多角形状第１環状体よりも小さなサイズの多角形状第２環状体と、を備え、
前記多角形状第１環状体が上方に配置されると共に前記多角形状第２環状体が下方に配置され、
前記多角形状第1環状体の一辺と前記多角形状第２環状体の一辺とを連結する連結表示部を少なくとも２つ備えると共に、当該連結表示部は、完全に光を遮断せずに一定程度光を透過する素材で構成されている
ことを特徴とする天井吊り下げ型装飾。
【請求項２】
請求項１において、
前記フレームが樹脂製の中空パイプと当該中空パイプを連結する樹脂製のエルボーで構成されると共に、前記表示部が布で構成されている
ことを特徴とする天井吊り下げ型装飾。
【請求項３】
請求項１又は２において、
前記表示部は、表面と裏面で異なる表示がされている
ことを特徴とする天井吊り下げ型装飾。
【発明の詳細な説明】
【技術分野】
【０００１】
本発明は、パチンコ店に設置される装飾に関し、特に天井から吊り下げる形式の装飾に関する。
【背景技術】
【０００２】
従来、非特許文献１に示されているように、パチンコ店の店内装飾として様々な形式のものが存在している。島に取り付けるタイプのもの、島上に配置するタイプのもの、天井から吊り下げるタイプのものなど用途に応じて多くの提案がなされている。
【０００３】
そのうち、特に天井から吊り下げるタイプのものは平板状の平面的なものが主流であり、立体的なものもあるが、風船（バルーン）のように空気を入れて膨らますような形式のものばかりである。
【先行技術文献】
【非特許文献】
【０００４】
【非特許文献１】P-WARLDウェブサイト「パチンコ店向け商品カタログ」のページ（https://store.p-world.co.jp/）
【特許文献】
【０００５】
【特許文献１】特願２０１２-０４６４９０号公報
【発明の概要】
【発明が解決しようとする課題】
【０００６】
しかしながら、平板状の吊り下げ型の装飾の場合、シンプルではあるもののその反面インパクトに乏しく、見る角度が変ると殆ど見えなくなるという問題がある。
【０００７】
一方、風船のような装飾は立体的でインパクトはあるものの、使っている間に空気が抜けて却って見窄らしくなるため定期的なメンテナンスや交換が必要となる。更に、交換する時は全体を交換するしかなく、風船型装飾の一面側だけを交換するといった事は不可能であった。更に大型のものを設置するような場合は、照明を遮ってしまい陰になる部分が過度に暗くなってしまうという問題もある。
【０００８】
出願人は上記問題点を解決するべく、特許出願（特許文献１）を行っているが、当該出願に係る装飾は略立方体状であったので、当該装飾の真下位置からは表示部の表示が見え難いという問題があった。また天井から吊り下げるという構成上、更なる軽量化及びコストダウンの要請もあった。
【０００９】
本発明は、上記問題点を一気に解決できる天井吊り下げ型装飾を提供する事をその課題としている。
【課題を解決するための手段】
【００１０】
上記課題を解決するべく、本願発明は、パチンコ店の天井から吊り下げて使用する天井吊り下げ型装飾であって、多角形状第１環状体と、当該多角形状第１環状体と相似形且つ当該多角形状第１環状体よりも小さなサイズの多角形状第２環状体と、を備え、前記多角形状第１環状体が上方に配置されると共に前記多角形状第２環状体が下方に配置され、前記多角形状第1環状体の一辺と前記多角形状第２環状体の一辺とを連結する連結表示部を少なくとも２つ備えると共に、当該連結表示部は、完全に光を遮断せずに一定程度光を透過する素材で構成されていることを特徴とする。
【００１１】
このような構成を採用したことによって、インパクトがあり且つどの方向から見ても容易に視認することができる立体的な天井吊り下げ型装飾を提供することができる。また空気を入れる必要も無いので、時間の経過と共に空気が抜けて萎むようなこともない。更に、天面及び底面は開口しており且つ表示部を完全に光を遮断せずに一定程度光を透過するような素材で構成しているので、当該装飾を天井に吊り下げても照明の光が遮断され難い。即ち装飾の立方体内に積極的に光を取り入れる構成となっており且つ取り入れた光を透過させて暗い影が発生するのを防止している。また、特定のパネル体だけを交換することもできるので、季節や時間、イベント等の有無に応じて適宜好みの内容を表示する装飾を実現できる。更に、下方に位置する多角形状第２環状体は、上方に位置する多角形状第１環状体よりも小さく構成されているので、これらを連結する連結表示部は地面に対して傾斜するので、真下方向に位置する場合でも表示部（連結表示部）の表示を認識しやすい。更に上下の多角形状環状体は（例えば布製の）表示部自体によって連結指示されているので構成材料が少なくて済み、軽量化及びコストダウンを実現することが可能となっている。
【００１２】
また、フレームを樹脂製の中空パイプと当該中空パイプを連結する樹脂製のエルボーで構成すると共に、表示部を布で構成することが望ましい。
【００１３】
これにより装飾自体をより軽量に仕上げる事ができる。更に面積の大部分を占める表示部は布製であるから、万が一落下するような事態が生じたとしても怪我の発生や器物の破損等を最小限に抑えることが可能となっている。
【００１４】
また、前記表示部を、表面と裏面で異なる表示としてもよい。
【００１５】
このように構成すれば、特定の若しくは全部のパネル体を裏返すことによって異なる表示を行うことができ、一つの装飾であっても表示のバリエーションを確保することができる。
【発明の効果】
【００１６】
本発明を適用することで、見た目のインパクトも大きく、表示内容の一部変更も可能な吊り下げ型装飾を提供する事ができる。また真下位置からでも表示部を認識でき且つ軽量・低コストを実現している。
【図面の簡単な説明】
【００１７】
【図１】本発明に係る天井吊り下げ型装飾の概略斜視図である。
【図２】（ａ）がフレーム（多角形状第１環状体）の正面図、（ｂ）がフレーム（多角形状第２環状体）の正面図、（ｃ）が表示部の正面図である。
【図３】（ａ）がフレーム角部の拡大図、（ｂ）が吊下具の斜視図である。
【図４】本発明に係る天井吊り下げ型装飾の設置例を示した図である。
【発明を実施するための形態】
【００１８】
以下、添付図面を参照しつつ、本発明の実施形態の一例である天井吊り下げ型装飾１００（以下単に「装飾」という場合がある。）について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈天井吊り下げ型装飾の構成〉
図１に示しているように、装飾１００は、略四角錐台の形状を成している。上面（平面）と下面（底面）は開口しており、壁面に相当する４枚の連結表示部１０２により上部フレーム（多角形状第１環状体）１０４と下部フレーム（多角形状第２環状体）１０７が連結された構成とされている。
【００２０】
図２（ａ）に示すように、上部フレーム１０４は４本の中空パイプ１０５と４つのエルボー１０６とからなる。エルボー１０６は９０度に折れ曲がるように（Ｌ字型に）構成され、両端に中空パイプ１０５の中空部１０５ａに嵌入できる嵌入部１０６ａを備える（図３（ａ）参照）。エルボー１０６の両端にそれぞれ中空パイプ１０５を差し込むと丁度略正方形のフレーム１０４となる。本実施形態においては、一辺が約８００ｍｍの大きさとなるように構成されている。
【００２１】
同様に、図２（ｂ）に示すように、下部フレーム１０７は４本の中空パイプ１０８と４つのエルボー１０６とからなる。中空パイプ１０８の長さが前記上部フレームのそれに比べて短い点を除いては同様の構成とされている。本実施形態においては、一辺が約５００ｍｍの大きさとなるように構成されている。
【００２２】
図２（ｃ）に示すように、連結表示部１０２は、略台形に成形されており、布生地（完全に光を遮断せずに一定程度光を透過する程度の素材・厚み）でできている。上辺は折り返して縫製されることによって辺に沿って筒状となるように構成されている（挿通部１０２ａ）。また下辺も折り返して縫製されることによって辺に沿って筒状となるように構成されている（挿通部１０２ｂ）。これら挿通部１０２ａ、１０２ｂは前述した中空パイプ１０５、１０８を挿通することができる程度の大きさに形成されている。連結表示部１０２の表面には、図示していないが、所望の文字や図形、記号、更にはこれらの組み合わせが表示されている。要するに宣伝内容が表示されている。なお、４枚の連結表示部１０２に表示される内容は同じであってもよいし異なっていてもよい。また表面のみに表示されていてもよいし、裏面にも表示されていてもよい。その場合表面と裏面で表示内容が異なるように構成されていてもよい。
【００２３】
上部フレーム１０４を構成する４本の中空パイプ１０５は、それぞれ連結表示部１０２の上辺側に位置する挿通部１０２ａに挿通された上でエルボー１０６によって連結される。また同様に、下部フレーム１０７を構成する４本の中空パイプ１０８は、それぞれ連結表示部１０２の下辺側に位置する挿通部１０２ｂに挿通された上でエルボー１０６によって連結される。
【００２４】
その結果、下部フレーム１０７は上部フレーム１０４から４枚の連結表示部１０２によって吊り下げられるように支持されて構成されることとなる。即ち、装飾１００は、僅か２つのフレーム１０４、１０７とこれらフレームを連結する４枚の連結表示部１０２によって構成されており、軽量且つ低コストを実現することが可能となっている。
【００２５】
また、上部フレーム１０４の所望の位置には、図３（ｂ）に示した吊下具１１０が固定され、ワイヤー等によって天井面から吊支される。具体的には、略トンネル形状に構成されたクリップ部１１０ａが上部フレーム１０４の中空パイプ１０５に嵌合し、引掛部１１０ｂにワイヤー等が係止することによって吊支される。
【００２６】
〈天井吊り下げ型装飾の作用・機能〉
このようにして構成された装飾１００は、図４に示しているようにパチンコ店の天井１８からワイヤー、樹脂性のテグス等によって吊り下げられて使用される。例えば図４に示しているように、島１０の上部を飾るように設置すると、島１０上部の空間を有効に利用することができると共に、いずれの方向から見ても装飾１００の存在を認識でき、来店客にインパクトを与えることができる。特に真下方向から見たとしても、連結表示部１０２は垂直ではなく傾斜して配置されているので、表示内容を視認することが可能となっている。
【００２７】
また、仮に図４のように照明２０の真下位置に設置しても、本願発明に係る装飾１００は上面（平面）及び下面（底面）が開いた構成とされているので、装飾１００内部に光を取り込むと共に、各連結表示部１０２は完全に光を遮断せずに一定程度光を透過する手程度の素材・厚みで構成されているので、周囲に光を積極的に漏らすような構成とされている。よって、装飾１００自体も明るく目立つようになる上に、装飾１００があることによって過度に周囲が暗くなってしまうことを防止している。
【００２８】
また、４枚の連結表示部１０２のうち、特定の連結表示部１０２だけを交換することもできるので、季節や時間、イベント等の有無に応じて適宜好みの内容を表示が実現できる。
【００２９】
なお、上記では上部フレーム１０４及び下部フレーム１０８が略正方形に構成されていることによって、装飾１００全体としては略四角錐台形状となっていたがこれに限られない。例えば上下フレームをそれぞれ五角形状として装飾全体としては五角錐台形状としてもよいし、それ以外の多角錐台形状となるように構成することも可能である。
【００３０】
また、連結表示部１０２は必ずしも上下フレームの全ての辺に位置していなくともよく、最低限、対向する位置に合計２枚の連結表示部を備えることによって、装飾を構成することが可能である。
【符号の説明】
【００３１】
１０・・・島（遊技台設置島）
１２・・・遊技台
１４・・・椅子
１６・・・通路      
１８・・・天井
２０・・・照明
１００・・・天井吊り下げ型装飾
１０２・・・連結表示部
１０２ａ、１０２ｂ・・・挿通部
１０４・・・上部フレーム（多角形状第１環状体）
１０５・・・中空パイプ
１０５a・・・中空部
１０６・・・エルボー
１０６ａ・・・嵌入部
１０７・・・下部フレーム（多角形状第２環状体）
１０８・・・中空パイプ
１１０・・・吊下具
１１０ａ・・・クリップ部
１１０ｂ・・・引掛部
【図１】
2014023800.tif 000003
【図２】
2014023800.tif 000004
【図３】
2014023800.tif 000005
【図４】
2014023800.tif 000006